(57)【要約】【課題】各種の移動体の現在地情報と、移動体の現在地情報に関連する多様な各種情報を、移動体の現在地に依存せぬ場所の利用者に供給する移動体情報表示システムを提供する。【解決手段】移動体情報表示システム１Ａは、利用者用端末のタッチパネル４上に地図を表示する地図表示部１１と、移動体の位置を示す情報としての移動体位置情報を地図上に表示させる移動体情報表示部１５と、所定の事業者の事業者情報、及び／又は、所定の各種公共団体の発信する各種公共団体情報を、複数の情報発信手段から取得して、取得したそれぞれの前記各種情報を、前記利用者用端末に表示させる広告情報表示部１７、地域情報表示部１９とを備え、タッチパネル４上に移動体情報が地図上に表示指定された場合、広告情報と地域情報等が表示される。【選択図】図２
2019185778.tif 000002
【特許請求の範囲】
【請求項１】
移動体の位置情報を表示する移動体情報表示システムであって、
利用者用端末の表示手段上に前記移動体の位置を表示可能な地図、航空写真、衛星写真等の俯瞰情報を表示する俯瞰情報表示手段と、
前記移動体の位置を示す情報としての移動体位置情報を前記俯瞰情報上に表示させる位置情報表示手段と、
所定の事業者の事業者情報、及び／又は、所定の各種公共団体の発信する各種公共団体情報を、複数の情報発信手段から取得して、取得したそれぞれの前記各種情報を、前記利用者用端末に表示させる各種情報表示手段と
を備え、
前記利用者用端末上の所定の操作により、前記俯瞰情報上に前記移動体位置情報が表示される場合、
前記各種情報表示手段は、前記俯瞰情報上の所定の位置を示す基準にして所定の範囲に存在する前記所定の事業者の前記事業者情報、及び／又は、前記俯瞰情報上の所定の位置を示す基準にして所定の範囲に存在する前記所定の各種公共団体の発信する前記各種公共団体情報を取得して、取得したそれぞれの前記各種情報を、前記利用者用端末上に形成される複数の各種情報表示手段において表示させる
ことを特徴とする移動体情報表示システム。
【請求項２】
前記利用者用端末を使用する利用者の所在する位置に関する利用者位置情報を取得する利用者情報取得手段と、
前記利用者情報取得手段によって取得された前記利用者位置情報を前記表示手段の所定の位置に表示された状態で前記俯瞰情報上に表示させる利用者情報表示手段と、
前記利用者用端末における前記移動体情報表示システムの起動を検知する起動検知手段とを備え、
該起動検知手段が、前記利用者用端末において、前記移動体情報表示システムが起動されたことを検知した場合、前記利用者用端末における前記移動体情報表示システムの起動を直接の契機として、
前記移動体情報表示システムを起動させた際に前記表示手段に最初に表示される第一画面に、前記俯瞰情報と、前記利用者位置情報と、複数の前記各種情報とが表示されるように構成されたことを特徴とする請求項１に記載の移動体情報表示システム。
【請求項３】
前記事業者情報は、企業、個人事業主、営利法人、非営利法人、法人でない社団のうち少なくとも何れか一つとしての事業者の広告情報である
ことを特徴とする請求項１又は２に記載の移動体情報表示システム。
【請求項４】
前記俯瞰情報の前記所定の位置は、前記利用者の現在位置であって、前記利用者の現在位置を示す情報は、前記俯瞰情報上の特定の位置に表示されるように構成された  ことを特徴とする請求項１又は３に記載の移動体情報表示システム。
【請求項５】
前記移動体の過去の移動履歴に関する情報としての移動履歴情報を記録する移動履歴情報記録手段と、
前記移動履歴情報に基づいて所定の演算を行うことで前記移動体の将来の移動位置としての移動位置予測情報を算出する移動位置予測手段とを備え、
前記利用者用端末の前記俯瞰情報上には、前記移動位置予測手段において算出された前記移動体の将来の移動位置が表示されるように構成された
ことを特徴とする請求項１乃至４の何れか一つに記載の移動体情報表示システム。
【請求項６】
前記移動体は、路線に沿って運行される場合と、路線を逸脱した経路で運行される場合とを有する各種交通機関であって、
前記移動体の現在位置に関する情報としての現在位置情報を取得すると共に、取得された前記移動体の前記現在位置情報を前記俯瞰情報上に示す運行状況表示手段と、
前記移動体の路線を示す路線情報を前記俯瞰情報上に表示させる路線情報表示手段とを備え、
前記運行状況表示手段は、前記移動体が前記路線に沿って運行する場合の前記現在位置情報と、前記移動体が前記路線を逸脱して運行する場合の前記現在位置情報との双方を識別可能に表示するように構成された
ことを特徴とする請求項１乃至５のいずれか一つに記載の移動体情報表示システム。
【請求項７】
前記移動体は、タクシーを含む、路線を持たずに運行される、一又は複数の各種交通機関、及び／又は、消防車、救急車、人又は物を運搬可能な営業車、のうち少なくとも何れか一つの車両、前記各種交通機関及び前記車両以外の、時間の経過と共に位置を変化させ得る所定の物体、及び／又は、徘徊者、観光客、ペットを含む、一又は複数の所定の生物ことを特徴とする請求項１乃至６の何れか一つに記載の移動体情報表示システム。
【請求項８】
前記各種情報表示手段は、前記利用者用端末に表示された特定の前記移動体、及び／又は、前記利用者用端末に表示された前記移動体の停留する停留所が前記利用者によって指定された場合、前記指定された前記移動体、及び／又は、前記指定された前記停留所の位置情報を取得して、取得された前記位置情報に対応する前記各種情報を前記利用者用端末に表示させることを特徴とする請求項１乃至７の何れか一つに記載の移動体情報表示システム。
【請求項９】
コンピュータを請求項１乃至８の何れか一つに記載の移動体情報表示システムとして機能させることを特徴とするプログラム。
【発明の詳細な説明】
【技術分野】
【０００１】
この発明は、路線バス等の各種交通機関の運行情報や物体の移動情報、人やペットを含む生物の移動情報を、他の所定の情報と共に視覚的に表示させるための技術に関する。
【背景技術】
【０００２】
従来、バス、電車等の公共交通に代表される交通機関は、沢山の人を円滑に輸送する手段として重要な意義を有し、特に、近年の高齢化社会の進展等に伴い、重要度はますます向上している。従来、このような需要に対応するために、例えば、路線バスの運行状況を検知し、この路線バスの停留所に、バスの運行情報等を表示させることで、利用者に運行状況を告知するためのシステムが知られている（例えば、特許文献１参照）。また、利用者の携帯電話等の通信端末の画面に、停留所名を入力して実行ボタンを押すと、系統名、行き先名が表示され、その中から任意の系統名や行き先名を選択すると「最寄りバス停候補」の一覧表が表示され、利用者がその中から特定の停留所を選択すると、その停留所に向かっている最寄りのバスの運行情報が表示されるシステムが提案されている。
【先行技術文献】
【特許文献】
【０００３】
【特許文献１】特開２００６−２２７９４９号公報
【特許文献２】特開２００３−２１７０９３号公報（図７等）
【発明の概要】
【発明が解決しようとする課題】
【０００４】
しかし、特許文献１に記載の発明においては、路線バスの停留所に運行情報を表示させるための装置を組み込むため、停留所等と一体化させた装置の製造に高額の費用がかかるという問題がある。また、利用者は停留所まで行かないと運行情報を確認できないので、停留所のない所で運行状況を確認したいという需要に応えることはできないという問題がある。一方、特許文献２においては、利用者の携帯端末に路線バスの運行情報を表示させることができるが、停留所等の名称や系統名・路線名がわからないと運行情報が表示できないという問題や、停留所等に表示されている情報との整合性が考慮されていない態様で運行情報が表示されるので、停留所を基準として利用者が取得したい情報や利用者にとって有用性の高い情報（たとえば、特定の停留所や特定の路線の周辺に存在する商店やサービスに関する情報、など）を迅速的確に取得することが難しいという問題がある。
【０００５】
また、特許文献１や特許文献２に係る発明は、路線を有する交通機関に適用されるものであるが、利用者は、路線を有する交通機関以外の交通機関、あるいは、交通機関以外の、時間の経過と共に所在する位置を変化させうる生物や物体からなる移動体の現在地情報や、移動状況を把握しつつ、そのような移動体の現在地情報に関連する各種の情報を、移動体の現在地に依存せぬ位置にいながら把握したいという要望が発生しうることが知られている。しかし、特許文献１や特許文献２においては、そのような要望に対応できる情報を取得したり、そのような情報を所望する者に送ることができないという問題がある。さらには、移動体の現在地情報に関連する情報としては、多様な情報の提供が求められることが多いが、上記特許文献１や特許文献２においては、現在地情報に関連する情報を供給できないために、求められる多様な情報を供給できないという問題がある。  
本発明はこのような問題に鑑みてなされたものであり、各種の移動体の現在地情報と、移動体の現在地情報に関連する多様な各種情報を、移動体の現在地に依存せぬ場所に所在する利用者に供給できる移動体情報表示システムを提供することを課題としている。
【課題を解決するための手段】
【０００６】
かかる課題を解決するために、請求項１に記載の発明は、交通機関の運行情報を表示する移動体情報表示システムであって、利用者用端末の表示手段上に前記移動体の位置を表示可能な地図、航空写真、衛星写真等の俯瞰情報を表示する俯瞰情報表示手段と、前記移動体の位置を示す情報としての移動体位置情報を前記俯瞰情報上に表示させる位置情報表示手段と、所定の事業者の事業者情報、及び／又は、所定の各種公共団体の発信する各種公共団体情報を、複数の情報発信手段から取得して、取得したそれぞれの前記各種情報を、前記利用者用端末に表示させる各種情報表示手段とを備え、前記利用者用端末上の所定の操作により、前記俯瞰情報上に前記移動体位置情報が表示される場合、前記各種情報表示手段は、前記俯瞰情報上の所定の位置を示す基準にして所定の範囲に存在する前記所定の事業者の前記事業者情報、及び／又は、前記俯瞰情報上の所定の位置を示す基準にして所定の範囲に存在する前記所定の各種公共団体の発信する前記各種公共団体情報を取得して、取得したそれぞれの前記各種情報を、前記利用者用端末上に形成される複数の各種情報表示手段において表示させることを特徴とする。
【０００７】
請求項２に記載の発明は、請求項１に記載の構成に加え、前記利用者用端末を使用する利用者の所在する位置に関する利用者位置情報を取得する利用者情報取得手段と、前記利用者情報取得手段によって取得された前記利用者位置情報を前記表示手段の所定の位置に表示された状態で前記俯瞰情報上に表示させる利用者情報表示手段と、前記利用者用端末における前記移動体情報表示システムの起動を検知する起動検知手段とを備え、該起動検知手段が、前記利用者用端末において、前記移動体情報表示システムが起動されたことを検知した場合、前記利用者用端末における前記移動体情報表示システムの起動を直接の契機として、前記移動体情報表示システムを起動させた際に前記表示手段に最初に表示される第一画面に、前記俯瞰情報と、前記利用者位置情報と、複数の前記各種情報とが表示されるように構成されたことを特徴とする。
【０００８】
請求項３に記載の発明は、請求項１又は２に記載の構成に加え、前記事業者情報は、企業、個人事業主、営利法人、非営利法人、法人でない社団のうち少なくとも何れか一つとしての事業者の広告情報であることを特徴とする。
【０００９】
請求項４に記載の発明は、請求項１乃至３の何れか一つに記載の構成に加え、前記俯瞰情報の前記所定の位置は、前記利用者の現在位置であって、前記利用者の現在位置を示す情報は、前記俯瞰情報上の特定の位置に表示されるように構成されたことを特徴とする。
【００１０】
請求項５に記載の発明は、請求項１乃至４の何れか一つに記載の構成に加え、前記移動体の過去の移動履歴に関する情報としての移動履歴情報を記録する移動履歴情報記録手段と、前記移動履歴情報に基づいて所定の演算を行うことで前記移動体の将来の移動位置としての移動位置予測情報を算出する移動位置予測手段とを備え、前記利用者用端末の前記俯瞰情報上には、前記移動位置予測手段において算出された前記移動体の将来の移動位置が表示されるように構成されたことを特徴とする。
【００１１】
請求項６に記載の発明は、請求項１乃至５の何れか一つに記載の構成に加え、前記移動体は、路線に沿って運行される場合と、路線を逸脱した経路で運行される場合とを有する各種交通機関であって、前記移動体の現在位置に関する情報としての現在位置情報を取得すると共に、取得された前記移動体の前記現在位置情報を前記俯瞰情報上に示す運行状況表示手段と、前記移動体の路線を示す路線情報を前記俯瞰情報上に表示させる路線情報表示手段とを備え、前記運行状況表示手段は、前記移動体が前記路線に沿って運行する場合の前記現在位置情報と、前記移動体が前記路線を逸脱して運行する場合の前記現在位置情報との双方を識別可能に表示するように構成されたことを特徴とする。
【００１２】
請求項７に記載の発明は、請求項１乃至６の何れか一つに記載の構成に加え、前記移動体は、タクシーを含む、路線を持たずに運行される、一又は複数の各種交通機関、及び／又は、消防車、救急車、人又は物を運搬可能な営業車、のうち少なくとも何れか一つの車両、前記各種交通機関及び前記車両以外の、時間の経過と共に位置を変化させ得る所定の物体、及び／又は、徘徊者、観光客、ペットを含む、一又は複数の所定の生物であることを特徴とする。
【００１３】
請求項８に記載の発明は、請求項１乃至７の何れか一つに記載の構成に加え、前記各種情報表示手段は、前記利用者用端末に表示された特定の前記移動体、及び／又は、前記利用者用端末に表示された前記移動体の停留する停留所が前記利用者によって指定された場合、前記指定された前記移動体、及び／又は、前記指定された前記停留所の位置情報を取得して、取得された前記位置情報に対応する前記各種情報を前記利用者用端末に表示させることを特徴とする。
【００１４】
請求項９に記載の発明は、プログラムであって、コンピュータを請求項１乃至７の何れか一つに記載の移動体情報表示システムとして機能させることを特徴とする。
【発明の効果】
【００１５】
請求項１に記載の発明によれば、利用者用端末の表示手段上に表示された俯瞰情報上に、移動体位置情報を表示させるとともに、俯瞰情報上の所定の位置を示す基準にして所定の範囲に存在する所定の事業者の事業者情報、及び／又は、俯瞰情報上の所定の位置を示す基準にして所定の範囲に存在する所定の各種公共団体の発信する各種公共団体情報を取得して、取得したそれぞれの各種情報を、利用者用端末上に形成される複数の各種情報表示手段において表示させることにより、利用者用端末に、移動体の現在位置を視覚的に容易に認識できるように表示させると共に、移動体の現在位置に関連する、所定の事業者情報、及び／又は、所定の各種公共団体の発信する各種公共団体情報を表示させることで、移動体の現在地情報を取得したい利用者用端末の利用者に、移動体の現在地情報と、移動体の現在位置に関連する多面的な情報を提供できるシステムを構築し、各種の移動体の現在地情報と、移動体の現在地情報に関連する多様な各種情報を、移動体の現在地に依存せぬ場所に所在する利用者に供給できる。
【００１６】
請求項２に記載の発明によれば、第一画面に俯瞰情報と利用者位置情報と複数の前記各種情報とが表示されることにより、利用者はシステムを起動すれば、複雑な手順による検索等を行うことなく、迅速かつ容易に所望の移動体の現在地情報や移動体に関連する情報を確認できる。
【００１７】
請求項３に記載の発明によれば、移動体の現在地に関連する、広告需要の高い事業者の広告情報を移動体の現在地に関連した形で利用者用端末に表示させることにより、移動体の現在地情報に関連する多様な広告情報を、移動体の現在地に依存せぬ場所に所在する利用者に供給できる。
【００１８】
請求項４に記載の発明によれば、利用者の現在位置を基準に、移動体の現在地情報や移動体に関連する各種情報を利用者用端末に表示させることにより、移動体に関連する情報を、利用者の現在地に関連付けて、利用者に把握しやすい態様で表示させることができる。
【００１９】
請求項５に記載の発明によれば、移動体の過去の移動履歴に基づいて、確度の高い移動体の移動位置予測情報を算出して利用者用端末に表示させて、利用者が移動体の将来の移動状況を予測する際に有用な情報を、利用者が利用しやすい態様で利用者用端末を通じて提供できる。
【００２０】
請求項６に記載の発明によれば、路線を運行する場合と、路線を逸脱して運行する場合のある交通機関としての移動体の、路線上を運行しているか否かの情報も含めた多様な情報を、利用者が把握しやすい態様で利用者用端末を通じて提供することができる。
【００２１】
請求項７に記載の発明によれば、路線を持たすに運行される一又は複数の各種交通機関としての移動体の移動状況や、各種の車両としての移動体の移動状況や、所定の生物としての移動体の移動状況を、利用者が把握しやすい態様で利用者用端末を通じて提供することができる。
【００２２】
請求項８に記載の発明によれば、利用者用端末に表示された移動体や、移動体の停留する停留所の位置情報に基づいて、各種情報を表示させることにより、利用者用端末が確認又は監視する移動体や停留所の近隣の事業体、あるいは、移動体や停留所に関連の高い各種情報を利用者用端末に表示することができるので、利用者が興味を持つ可能性の高い各種情報を、位置情報に基づいて利用者用端末に表示させることで、個々の利用者が興味を持つ可能性の高い各種情報を簡易に抽出して個々の利用者に提供することができ、簡易なシステム構成で高い宣伝効果を得ることができる。
【００２３】
請求項９に記載の発明によれば、本発明に係る交通機関情報表示システムをソフトウェア化し、多様なハードウェア上で本発明を実現することができる。
【図面の簡単な説明】
【００２４】
【図１】この実施の形態の移動体情報表示システムを含む実施態様のネットワーク構成図である。
【図２】同上移動体情報表示システムの機能ブロック図である。
【図３】同上移動体情報表示システムの利用者用端末に情報を表示する手順を示すフローチャートである。
【図４】同上移動体情報表示システムの利用者用端末に第一画面が表示され、「移動体」として路線バスが表示された状態の概念図である。
【図５】同上移動体情報表示システムの利用者用端末に第一画面が表示され、「移動体」として、路線に沿って運行する路線バスと、路線を外れて「遊体」として運行する路線バスが表示された状態の概念図である。
【図６】同上移動体情報表示システムの利用者用端末に第一画面が表示され、「移動体」としての徘徊者が表示された状態を示す概念図である。
【図７】同上実施の形態の移動体情報表示システムの、図１〜図６に示す構成以外の運用上の特徴（１）を示す概念図である。
【図８】同上実施の形態の移動体情報表示システムの、図７に示す地図上でバス所在地情報又は停留所情報がタップされたときに表示される地図画面及び広告・地域情報を示す概念図である。
【発明を実施するための形態】
【００２５】
図１乃至図８は、この発明の実施の形態を示す。この実施の形態の移動体情報表示システムは、移動体の位置情報を利用者に表示するためのシステムである。
【００２６】
＜この実施の形態における「移動体」＞
この実施の形態のシステム構成や処理手順の説明に先立って、この実施の形態における「移動体」について説明する。
【００２７】
この実施の形態における「移動体」とは、時間の経過と共に所在する位置を変化させうる各種の物をさす。この「物」には、車や電車や航空機等の非生物も、人やペット等の生物も含まれる。この実施の形態における「移動体」は、この実施の形態に係る移動体情報表示システム１Ａを利用する利用者（図示せず）が、利用者用端末１を用いて、その位置や移動状況を確認したり監視したりする対象となるものである。利用者（図示せず）が、利用者用端末１を用いて確認したり監視したりする「移動体」は、１つ（あるいは１人、あるいは一匹）であってもよいし、複数個（あるいは複数人、あるいは複数匹）であってもよい。
【００２８】
具体的には、たとえば、下記（例１）〜（例７）のようなものがこの実施の形態における「移動体」を構成する。
（例１）路線バス、旅客鉄道、貨物鉄道、旅客機、貨物機、旅客船、貨物船等、路線に沿って運行される各種交通機関（一台、一艘、一機等に限らず、複数台、複数艘、複数機等であってもよい。）
（例２）幼稚園や保育園や小中学校等の通園バス・通学バス等、定期便の貨物トラック等、基本的には路線を有しつつ、状況次第では路線を逸脱して運行される場合もある各種交通機関（一台に限らず、複数台であってもよい。）
（例３）タクシーや宅配便の輸送車、民間用飛行機、民間用船舶等、路線を有さずに運行される各種交通機関（一台、一艘、一機等に限らず、複数台、複数艘、複数機等であってもよい。）
（例４）運送会社の輸送車や配送車等の営業車、観光バス等の営業車、救急車や消防車等、地方自治体や地方公共団体や各種自治体や各種公共団体等が所有する公共機関の車両。なお、車に限らず、同様の目的に使用される船舶や航空機等であってもよい。また、一台、一艘、一機等に限らず、複数台、複数艘、複数機等であってもよい。
（例５）未就学児、園児、未成年の児童・生徒、高齢者、身体障害者、徘徊者など、保護者や庇護者や介護者の監視や確認の必要性の高い人（一人でも複数人でもよい。）
（例６）観光客、警察官、消防官、自衛官、各種団体構成員等、団体行動を行うことの多い人（一人でも複数人でもよい。）
（例７）犬・猫等のペット、生態観察中の野生動物等、人間以外の生物（一匹でも複数匹でもよい。）
これらの「移動体」には、利用者（図示せず）が利用者用端末１を用いて位置情報を確認することのできる、位置確認のための構成、たとえばＧＰＳの電波を受信して緯度情報や経度情報を取得し、各種サーバ（たとえば図１に示す移動体情報データベース７００）に送信できるような、位置情報検出のための構成や、検出した位置情報を、移動体情報表示システム１Ａを構成する他のサーバ等に送信するための機能を備えていることが望ましい。この実施の形態では、後述するとおり、「移動体」に移動体用端末２等を設置することで、この機能を実現させる。
【００２９】
なお、以下、この実施の形態において、移動体情報表示システム１Ａは、主として「移動体」としての「各種バス」、例えば路線バスの情報を扱う。ただし、この路線バスはあくまでも「移動体」の例示のひとつであり、「移動体」は、輸送機関であれば、上述の（例１）〜（例７）に示したような、どのようなものであってもよい。また、「移動体」を構成するバスは、路線バス以外のバス、例えば、送迎バス、コミュニティバス、デマンドバス、高速バス、送迎バス等であってもよい。
【００３０】
＜この実施の形態における「利用者」＞
また、この実施の形態において、「利用者」とは、移動体に関する情報の利用を希望する者あるいは移動体に関する情報を利用している者を示す。
【００３１】
具体的には、例えば、「移動体」が上記（例１）〜（例４）に示すような交通機関や営業車等である場合には、交通機関に乗客として乗車することを希望する者、交通機関に乗客として乗車している者、交通機関の運行を管理する者（例えばバス会社や地方公共団体等）、交通機関の運行状況に基づく各種情報を得ようとする者（例えば道路の渋滞情報を得ようとする個人や企業）、等がこれに該当する。
【００３２】
また例えば、「移動体」が上記（例５）〜（例７）に示すような人や動物等である場合には、その人や動物の監視者、保護者、庇護者、介護者、管理者、引率者、飼い主等がこれに該当する。
【００３３】
＜ネットワーク構成、モジュール構成＞
図１は、この実施の形態の移動体情報表示システム１Ａを含む実施態様のネットワーク構成図である。この移動体情報表示システム１Ａは、主として「移動体」の位置を、移動体情報表示システム１Ａを利用する利用者（図示せず）が遠隔地から確認や監視を行うため、あるいは、利用者（図示せず）が、「移動体」の移動状況を遠隔地から確認や監視を行うために用いられる。また、移動体情報表示システム１Ａは、利用者（図示せず）に、利用者用端末１を介して、「移動体」や「移動体」の所在する位置等に関連する各種の情報を提供するために用いられる。  図１に示す、この実施の形態の移動体情報表示システム１Ａは、移動体１００の位置情報を取得することを欲する利用者が所持する利用者用端末１と、移動体１００に配設される「移動体情報取得手段」としての移動体位置情報取得装置２と、中央サーバ３とを備えている。また、図１に示すとおり、移動体情報表示システム１Ａにおいては、移動体情報入力端末４００、広告・地域情報入力端末５００、基地局６００、移動体情報データベース７００を備えている。それぞれの構成の詳細については後述する。
【００３４】
なお後述する通り、この実施の形態１の移動体情報表示システム１Ａは、利用者用端末１に地図や利用者や移動体１００の位置を表示するが、これらの情報は、地図はネットワークを介して取得可能な地図情報２００を、位置情報はＧＰＳ衛星３００の電波を取得し、表示する情報を生成する。
【００３５】
図１に示す、この実施の形態の移動体情報表示システム１Ａの移動体情報入力端末４００は、移動体１００に関する各種の情報を、移動体１００の所有者や管理者（たとえば、移動体１００が路線バスである場合は、路線バスの経営者が該当し、移動体１００が観光客の団体である場合にはこの観光客を引率する旅行代理店のオペレータが使用するパーソナルコンピュータの端末等がこれに該当する。）。
【００３６】
広告・地域情報入力端末５００は、利用者用端末１に表示させる各種の広告情報や地域情報を管理したり入力したりする者（たとえば広告主である企業や、広告を代理する広告代理店等）が、広告情報の入力や管理に用いるためのパーソナルコンピュータの端末等である。
【００３７】
基地局６００は、移動体位置情報取得装置２とデータ通信や、移動体１００の位置情報等の交信の際に通信の中継等を行う通信基地局である。
【００３８】
移動体情報データベース７００は、ネットワークサーバ及びデータベースサーバ及び演算手段としての機能を有し、移動体１００の現在の位置情報を送受信したり、所定の演算機能を有し、移動体１００の過去の移動状況のデータを記録するデータベース部７０１と、データベース部７０１に記録されたデータ等を用いて所定の演算を行い、移動体の過去の移動状況から移動体１００の将来の移動（特定の時点における移動体の位置の予測情報など）を算出する機能を有する、演算部７０２を有する。
【００３９】
＜基本構成＞
図２は、この実施の形態における移動体情報表示システム１Ａの機能ブロック図である。  図２に示す通り、移動体情報表示システム１Ａは、利用者用端末１、移動体位置情報取得装置２、中央サーバ３、第１情報サーバ７、第２情報サーバ８が、ネットワーク６で相互に通信可能に接続されている。なお、第１情報サーバ７、第２情報サーバ８は実施の一例として示すものであり、対応する構成は図１には記載されていない。
【００４０】
この実施の形態において、移動体情報表示システム１Ａを構成する利用者用端末１は、利用者が使用する携帯情報端末である。この実施の形態では、実施に好適な形態として、利用者用端末１がスマートフォンによって構成されたものについて以下説明するが、これに替えて、例えばタブレット端末、携帯電話等、どのような携帯情報端末によって利用者用端末１を構成することも可能である。また、デスクトップパソコンのような、据え置き型の端末において利用者用端末１を構成することも可能である。
【００４１】
利用者用端末１は、中央サーバ３と交信可能な機能と、画像データ等に基づいて画像情報を表示部に表示させる機能とを有する。
【００４２】
移動体位置情報取得装置２は、移動体１００に設置される通信端末である。この移動体位置情報取得装置２は、通信機能とデータ入力機能及びデータ表示機能を有する携帯情報端末であり、例えばスマートフォン、タブレット、携帯電話等がこれに該当する。
【００４３】
この実施の形態では、実施に好適な形態として、移動体位置情報取得装置２がタブレット端末によって構成されたものについて以下説明するが、これに替えて、例えば、スマートフォン、携帯電話等、移動体位置情報取得装置２をどのような携帯情報端末によって構成することも可能である。すなわち、電波の送受信機能と位置情報を取得する機能を有する構成であれば、これ以外のどのような構成によって移動体位置情報取得装置２が形成されていてもよい。
【００４４】
移動体位置情報取得装置２は、複数の通信方式の中から通信に適した一の通信方式を自動的に選択可能に構成されている。ただし、一の通信方式に特化した構成であってもよい。
【００４５】
利用者用端末１には「表示手段」としてのタッチパネル４（図５参照）が設けられている。このタッチパネル４は、画像情報を表示する機能と、利用者用端末１の利用者が指で表面の一点をタップしたり、表面をフリック操作やスワイプ操作を行うことで操作入力を行うことを可能とする。ただし、利用者用端末１は、タッチパネル４に替えて単なるディスプレイとして構成し、操作入力を行うための、キーボードやマウスのような操作手段を別途設ける構成としてもよい。
【００４６】
中央サーバ３は、サーバコンピュータであり、ネットワークを介して他の端末と接続する機能と、データベース機能とを有する。この中央サーバ３は、たとえば移動体１００が路線バスの場合、利用者用端末１に表示される路線バスを運行させる、バス会社や市町村等の地方公共団体等が運用や管理を行う。ただし、移動体１００が路線バス以外の交通機関や車両や航空機や船舶等の場合には、バス会社等以外の、交通機関や車両や航空機や船舶を所持したり管理したりする企業や個人や団体等が中央サーバ３の運用や管理を行ってもよい。また、移動体１００が幼児や徘徊者の場合には、中央サーバ３は、幼児や徘徊者を監視するための情報を利用者に提供するプロバイダ等が運用や管理を行う。
【００４７】
中央サーバ３は、移動体１００の移動に関する各種の情報を送受信し、記録する。たとえば、移動体１００が路線バスの場合には、路線バスの運行情報（例えば路線ごとの時刻表の情報や、それぞれの路線の交番（後述）に関する情報等）や、バス用端末２から送信されてくる、それぞれの路線バスの運行位置情報（例えば、ＧＰＳ衛星の電波等に基づいて算出されるそれぞれの路線バスの運行位置や、それぞれの路線バスがそれぞれの停留所に到着又は発車した時刻の情報）などが記録される。
【００４８】
第１情報サーバ７と第２情報サーバ８とは、サーバコンピュータであり、データを記録する機能と、データを送受信する機能を有する。
【００４９】
第１情報サーバ７は、主として広告情報を発信するためのサーバ、すなわち、所定の広告発信サービスを行う者等が広告情報の記録や記録された広告情報を発信するためのサーバである。第１情報サーバ７には、それぞれの地域の企業等の広告・地域情報７１と、その広告・地域情報の広告主等である企業等の位置情報７２（例えば広告主である企業の本社所在地や店舗所在地等に関する緯度情報・経度情報等）が記録され、広告情報を発信する機能を有する。なお、この広告・地域情報７１には、企業等の各種事業体の提供する商品やサービス等の広告を行うための広告情報と、それぞれの地域の地域情報（たとえば、それぞれの地域の市役所等の官公庁やそれぞれの地域の地方公共団体が発信する各種情報等）が広告・地域情報７１として記録され、これらの情報も広告・地域情報７１として発信される構成であってもよい。
【００５０】
第２情報サーバ８は、主として移動体１００が移動する場所に関連する地域情報を発信するサーバである。第２情報サーバ８は、主としてそれぞれの地域の情報である広告・地域情報８１（たとえば、それぞれの地域の市役所等の官公庁やそれぞれの地域の地方公共団体が発信する各種情報等）と、それぞれの地域の位置情報８２（官公庁や地方公共団体の所在地の緯度情報・経度情報等）が記録されている。第２情報サーバ８は、広告・地域情報８１を、ＲＳＳ（Rich Site Summary）の情報として発信する機能を有する。なお、第２情報サーバ８には、広告・地域情報８１として、特定の情報（たとえば、移動体情報表示システム１Ａを利用する路線バスを運営するバス会社の広告情報や、移動体１００が運行や走行等を行う地域に営業所や本店などを有する企業等の各種事業体の提供する商品やサービス等の広告を行うための広告情報など）が記録され、これらの情報も広告・地域情報８１として発信される構成であってもよい。
【００５１】
第１情報サーバ７が発信する広告・地域情報７１は、利用者用端末１の第１情報表示部（図５の符号４９ａ参照）に表示される。また、第２情報サーバ８が発信する地域情報は、利用者用端末１の第２情報表示部（図５の符号４９ｂ参照）に表示される。この実施の形態において、第１情報サーバ７や第２情報サーバ８は、中央サーバ３の運用者とは別の運用者が運用する、中央サーバ３とは別のサーバとして構成する。ただしそれぞれのサーバ３，７，８を同一のサーバとして構築してもよいし、同一の運用者が運用するものであってもよい。
【００５２】
図３に示す通り、利用者用端末１は、「俯瞰情報表示手段」としての地図表示部１１と、「利用者情報取得手段」として利用者情報取得部１２と、「利用者情報表示手段」としての利用者情報表示部１３と、「移動体情報取得手段」としての移動体情報取得部１４と、「移動体情報表示手段」としての移動体情報表示部１５と、広告情報取得部１６と、広告情報表示部１７と、地域情報取得部１８と、地域情報表示部１９とを備えている。これらの構成はプログラムの実装によって実現されるが、一部又は全部をハードウェアによって構成してもよい。また、符号１１〜１９に示す構成のうちの一部又は全部を中央サーバ３に設けてもよい。
【００５３】
地図表示部１１は、利用者用端末１のタッチパネル４上に移動体の位置情報を表示可能な「俯瞰情報」としての地図を表示する。
【００５４】
なお、この実施の形態では「俯瞰情報」が地図であるものとして説明するが、実際には、利用者の所在する位置や、移動体の位置や、移動体に関連する情報、たとえば交通機関の停留所や路線等を俯瞰する態様で表示するものであればどのようなものでもよく、たとえば「俯瞰情報」が航空写真、衛星写真等であってもよい。また、地図は、どのような図法や態様の地図として構成されていてもよいが、移動体（この実施の形態においてはたとえば路線バス）の位置や、路線や停留所を明確に表示できる縮尺や記載態様のものが望ましい。
【００５５】
利用者情報取得部１２は、利用者の所在する位置に関する利用者位置情報を取得する。この実施の形態においては、利用者用端末１に設けられたＧＰＳ機能により、ＧＰＳ衛星の信号を受信することで利用者位置情報を取得する。ただし、利用者位置情報を取得するための構成はどのようなものであってもよい。
【００５６】
利用者情報表示部１３は、利用者情報取得部１２において取得された利用者位置情報を利用者用端末１のタッチパネル４の所定の位置に表示された状態で地図上に表示させる。この実施の形態では、タッチパネル４に表示された地図の略中央を「所定の位置」として、利用者位置情報が表示される。ただし、「所定の位置」はタッチパネル４上のどの位置（例えばタッチパネル４の略中央や、タッチパネル４に表示された地図の上端近傍や下端部近傍など）であってもよい。
【００５７】
移動体情報取得部１４は、利用者の位置から所定の距離内に位置する、移動体１００の位置情報、ここでは、路線バスの所在する「移動体位置情報」としての路線バス位置情報（後述）を取得する。例えば、利用者の位置を中心に１ｋｍ四方を走行中の路線バス位置情報を取得する、等である。ただし、取得される路線バス位置情報は、実際には、タッチパネル４に表示される地図の表示範囲に依存して決定される。
【００５８】
移動体情報表示部１５は、移動体情報取得部１４によって取得された「移動体位置情報」、ここでは路線バス位置情報をタッチパネル４に表示された地図上に表示させる。
【００５９】
広告情報取得部１６は、利用者用端末１に表示される各種画面と共に表示される広告情報を第１情報サーバ７等から取得する。広告情報取得部１は、表示させる広告・地域情報７１の条件（例えば、利用者用端末１に表示される地図の中心位置に係る緯度情報・経度情報を基準に、そこから所定範囲内にある店舗の広告・地域情報７１、等）を位置情報７２に基づいて抽出し、抽出した広告・地域情報７１を中央サーバ３等に送信し、中央サーバ３から送信された広告・地域情報７１を取得する。
【００６０】
広告情報表示部１７は、広告情報取得部１６が取得した広告・地域情報７１を利用者用端末１の第１情報表示部（図４の符号４９ａ参照）に表示させる。
【００６１】
地域情報取得部１８は、利用者用端末１に表示される各種画面と共に表示される地域情報を第２情報サーバ８等から取得する。地域情報取得部１８は、表示させる広告・地域情報８１の条件（例えば、利用者用端末１に表示される地図の中心位置に係る緯度情報・経度情報を基準に、そこから所定範囲内にある官公庁や地方公共団体の広告・地域情報８１、等）を位置情報８２に基づいて抽出し、抽出した広告・地域情報７１を中央サーバ３等に送信し、中央サーバ３から送信された広告・地域情報８１を取得する。
【００６２】
地域情報表示部１９は、地域情報取得部１８が取得した広告・地域情報８１を利用者用端末１の第２情報表示部（図４の符号４９ｂ参照）に表示させる。
【００６３】
移動体位置情報取得装置２は、「移動体情報発信手段」としての移動体情報発信部２１と、移動体情報管理部２２を備えている。これらの構成はプログラムの実装によって実現されるが、一部又は全部をハードウェアによって構成してもよい。また、移動体情報発信部２１、移動体情報管理部２２のうち一方又は双方を中央サーバ３に設けてもよい。
【００６４】
移動体情報発信部２１は、移動体１００、たとえば路線バスの現在位置に関する情報を取得する。そして、この情報が前述の「路線バス位置情報」を構成する。この実施の形態においては、移動体用端末２に設けられたＧＰＳ機能により、ＧＰＳ衛星の信号を受信することで路線バス位置情報を取得する。ただし、路線バス位置情報を取得するための構成はどのようなものであってもよい。
【００６５】
移動体情報管理部２２は、それぞれの移動体１００に関する各種の情報が記録される。例えば、移動体１００が路線バスである場合には、路線バスの移動に関する情報（それぞれのバスが、本日何時から何時までどの路線を運行するか、等の運行予定情報や、過去の運行記録などが記録・管理される。また例えば、移動体１００が運送会社のトラックや観光バス等の営業車、あるいは、移動体１００が消防車や救急車などの各種自治体の車である場合には、そのトラックや観光バスや消防車や救急車などの運行予定情報や、過去の運行記録などが記録・管理される。また例えば、移動体１００がペットや幼児や徘徊者である場合の、ペットの個体情報（種別、名前、性別、年齢、毛の色等の身体的特徴、過去の移動履歴の記録、飼い主の氏名や住所など）や、幼児や徘徊者の個人情報（名前、性別、年齢、身体的特徴、過去の移動履歴の記録、保護者や管理者の氏名や住所など）などが記録・管理される。
【００６６】
中央サーバ３は、送受信部３１と、データベース３２とを備える。なお、送受信部３１とデータベース３２とを利用者用端末１や移動体位置情報取得装置２に設けてもよい。
【００６７】
送受信部３１は、利用者用端末１や移動体位置情報取得装置２とのデータや信号の送受信のために必要な各種処理を行う。
【００６８】
データベース３２は、図１に示す「移動体情報データベース７００」に対応するものであり、移動体１００の過去の移動履歴に関する情報や、移動体１００の現在位置を把握するための情報、また、移動体１００の未来の特定の時点における位置を予測するために必要な演算情報等の各種データが記録されている。また、データベース３２には、これらの各種データに基づいて中央サーバ３で演算された、移動体１００の現在位置や、未来の特定の時点における位置の予測情報等を表示するために必要なデータも記録されている。
【００６９】
利用者用端末１、移動体用端末２、中央サーバ３は、ネットワーク６にて通信可能に接続されている。ネットワーク６は、インターネット、イントラネット、イーサネット（登録商標）等どのようなものでもよいが、利用者用端末１と中央サーバ３との間、移動体用端末２と中央サーバ３との間には、無線通信にて通信される区間が介在している。
【００７０】
＜運用の具体的態様＞
以下、図３乃至図７に基づいて、この実施の形態の移動体情報表示システム１Ａの運用の具体的態様について説明する。なお、図３乃至図７に示す態様において、まず、「利用者」は、路線バスに乗客として乗車することを希望する者、又は、路線バスに乗客として乗車している者であり、移動体１００は路線バスであるものとして説明する。
【００７１】
＜バスの運行管理（運行開始時）＞
まず、路線バスの運転士は、自分が運転する路線バスに移動体位置情報取得装置２を持参して乗り込み、移動体位置情報取得装置２を起動させる。
すると、移動体情報表示システム１Ａはこの路線バスの運行情報の記録と管理を開始する。具体的には、移動体位置情報取得装置２の移動体情報発信部２１はこの路線バスの位置情報を取得して中央サーバ３に送信し、移動体情報管理部２２はこの路線における路線バスの運行状況の記録や中央サーバ３への送信を行う。これにより、この路線バスは、利用者用端末１上に表示させることが可能になる。
【００７２】
＜移動体の位置の確認＞
一方、利用者が、自分が位置情報を把握したい移動体１００、たとえば乗りたい路線バスの現在地などを確認したい場合を考える。
【００７３】
図４に示すように、利用者用端末１において移動体情報表示システム１Ａのアプリケーションを起動させる（ステップＳ１）。このとき、利用者情報取得部１２がＧＰＳ衛星の信号を受信して演算を行い、利用者の現在の位置情報を取得する（ステップＳ２）。
【００７４】
そして、利用者用端末１は、中央サーバ３に、利用者用端末１の現在の位置情報（緯度情報や経度情報、すなわちこの位置情報が、利用者（図示せず）の位置情報となる）を送り、送受信部３１がこの位置情報を取得すると、中央サーバ３がこの位置情報を第１情報サーバ７と第２情報サーバ８に送信する。第１情報サーバ７は、この利用者用端末１に表示された地図の位置情報を取得すると、取得した位置情報を基準に、第１情報サーバ７の位置情報７２と取得した位置情報との照合を行い、取得した位置情報から所定の範囲内の位置情報７２を有する広告・地域情報７１（上述のとおり、この広告・地域情報７１は地域情報としての情報であってもよい。）を取得する（ステップＳ３）。
【００７５】
同様に、第２情報サーバ８は、この利用者用端末１に表示された地図の位置情報を取得すると、取得した位置情報を基準に、第２情報サーバ８の位置情報８２と取得した位置情報との照合を行い、取得した位置情報から所定の範囲内の位置情報８２を有する広告・地域情報８１を取得する（ステップＳ４）。
【００７６】
そして、ステップＳ３で取得された広告・地域情報７１、ステップＳ４で取得された広告・地域情報８１は、第１情報サーバ７、第２情報サーバ８から利用者用端末１に送信される。
【００７７】
次に、利用者用端末１は、移動体用端末２から、移動体１００の位置情報を取得する（ステップＳ５。この手順は、中央サーバ３が行い、取得した位置情報を中央サーバが利用者用端末１に送信してもよい。）。
【００７８】
そして、利用者用端末１は地図情報２００を取得し（ステップＳ６）、図４に示すとおり、利用者用端末１のタッチパネル４には、最初に表示される画面である第一画面４４を表示させる（ステップＳ７）。
【００７９】
なお、この実施の形態では、第一画面４４はアプリケーション起動時にタッチパネル４上に最初に表示される構成としているが、例えばアプリケーション起動時にアプリケーション名等を表示するトップページが表示され、トップページの次に第一画面４４が表示される構成のように、第一画面４４が、アプリケーション起動後の二番目以降に表示される画面として構成してもよい。ただし、第一画面４４はアプリケーション起動後のなるべくトップページに近い位置（例えば二番目の画面や三番目の画面）で表示されることが望ましい。
【００８０】
図４に示すように、この第一画面４４には、利用者が現在所在する場所およびその周辺の地図が表示される。なお、タッチパネル４をスワイプイン、スワイプアウトすることで、表示される範囲の拡大や縮小を行える。
【００８１】
第一画面４４の地図の中央には、利用者の現在の位置を示す利用者位置情報４５が表示される。また、この地図上には、利用者の現在の位置を基準に所定の距離内（例えば、タッチパネル４上に表示される範囲内）を現在運行している路線バスの位置を示す、「移動体位置情報」としての路線バス情報４６、路線バスの停留所の位置を示す停留所情報４７が表示されている。この路線バス情報４６や停留所情報４７は、路線の違いや上り・下りの違いを色や形状の違いで表すこともできる。また、上りと下りの停留所情報４７が重なって表示されている場合に、停留所情報４７の色や形状の違いで表すこともできる。
【００８２】
また、第一画面４４には、広告表示欄４６ａに第１情報サーバ７から送信された広告・地域情報７１が表示され、第２情報表示部４６ｂに第２情報サーバ８から送信された広告・地域情報８１が表示される（ステップＳ７）。
【００８３】
以上の処理は、所定の時間の経過ごとに（たとえば数秒ごとや数十秒ごとに）繰り返し行われ、第一画面４４には時間の経過ごとの情報がリアルタイムで表示される（ステップＳ８）。
【００８４】
これにより、利用者用端末１には、利用者が自分が現在いる位置の周辺を現在走行中の路線バスや停留所の位置を表示させ、それらの情報を利用者に迅速かつ的確に把握させることができる。また、利用者用端末１には、利用者の現在位置を基準に、移動体１００の位置情報を取得するとともに、利用者の現在位置や移動体１００の現在位置を基準とする広告・地域情報７１，８１をリアルタイムで表示させ、それらの情報を利用者にリアルタイムで取得させることができる。
【００８５】
＜「遊体」としての移動体の表示＞
たとえば、移動体１００が幼稚園バスや送迎バスなどのように、一定の路線を有しつつ、特定の場合（たとえば送迎対象の特定の園児や生徒が欠席の場合）に、路線を逸脱して運行する場合がある。
【００８６】
図５に示すように、この実施の形態においては、路線５１上を運行する移動体情報４６のほかに、路線５１を逸脱して運行する、「遊体」としての移動体情報４８を表示する。この場合、「遊体」としての移動体情報４８を、路線５１上を運行する移動体情報４６とは異なる表示（例えば、異なる色で表示する等）とすることで、表示を区別することが考えられる。
【００８７】
＜路線を有しない移動体の表示＞
なお、図示しないが、タクシーや、宅配便の配送車などのように、路線を有しない車や交通機関、あるいは、宅配便の配送車等の運送会社などの営業車や、観光バスなどの営業車、あるいは、救急車や消防車などの各種公共団体の車、路線を有さずに移動する各種物体を移動体１００として表示させることも可能である。なお、ここでの物体は、自動車に限定されず、航空機や船舶など、移動可能な物体であればどのようなものであってもよい。
【００８８】
＜生物としての移動体＞
図６は、移動体１００として生物、たとえば徘徊者５３を表示させる場合を示す概念図である。
【００８９】
この場合、図６に示すように、移動体１００としての徘徊者５３の表示とともに、移動体１００の基本情報表示欄５２を設け、基本情報表示欄５２に、徘徊者５３の現在地である所在地の住所、通りの名称、利用者の現在地から徘徊者５３までの距離、利用者の現在地から徘徊者５３の現在地までの移動時間、等の情報を表示させることもできる。
【００９０】
この場合、徘徊者５３には、移動体用端末２としてスマートフォンを携帯させることや、位置情報を取得して中央サーバ３や利用者用端末１とデータ通信を行うことの可能な位置センサ付き通信機器等を徘徊者の衣服や体の一部に配設することが望ましい。
【００９１】
なお、生物としての移動体１００は、徘徊者５３に限らず、たとえば未就学児、園児、未成年の児童や生徒、観光客などの人、あるいは、犬、猫などのペット等の動物であってもよい。
【００９２】
＜移動体の将来の位置の予測情報の表示＞
この実施の形態においては、移動体情報データベース７００に記録された移動体移動履歴情報等を統計情報等として用いつつ、所定の演算処理により、移動体１００の将来の移動位置の予測などを行い、算出された所定時間後（たとえば３分後）の予測位置を第一画面４４に表示させる等の処理を行うこともできる。
【００９３】
具体的には、例えば、移動体情報データベース７００のデータベース部７０１には、移動体用端末２から送信された移動体１００の過去の所在地や移動履歴に関する情報を記録する。移動体情報データベース７００の演算部７０２は、この、記録された情報を用いた所定の演算により、所定時間後の移動体１００の予測移動位置を算出する。移動体情報データベース７００は、算出した結果を利用者用端末１に送信し、利用者用端末１のタッチパネル４上に表示させる。これにより、利用者が、移動体１００の将来の位置予測を行う際に役立つ情報を提供できる。この機能は、たとえば、移動体１００が徘徊者のような人である場合や、複数の旅行客のように団体行動を行う複数の人のような場合に有効に機能すると考えられる。
【００９４】
＜広告表示・地域情報の表示および詳細表示について＞
上述したとおり、この実施の形態においては、広告表示や地域情報の表示や、それらの詳細表示を行うことができる。
【００９５】
この広告表示・地域情報の表示や、それらの詳細表示を行う手順の一例を説明する。
【００９６】
例えば、第１情報表示部４９ａに利用者の周辺の特定範囲（例えば利用者の現在位置から半径５００ｍ以内）にある店舗の広告を表示させる場合、広告情報取得部１６は、条件に適合する広告情報７１１を取得する。この実施の形態では、第１情報サーバ７（図２参照）の広告・地域情報７１（例えばバナー広告）に、広告主の店舗等の位置情報７２を記録しておく。位置情報７２は、第１情報サーバ７がネットワーク６を介してアクセス可能な地図情報２００（図１参照）から取得してもよい。
【００９７】
第１情報サーバ７が利用者用端末１の利用者情報取得部１２から発信された利用者の現在位置情報を取得すると、第１情報サーバ７が利用者の現在位置情報と店舗の位置情報７１２とを対比して、利用者の周辺の特定範囲に存在する店舗の広告・地域情報７１をピックアップして、この広告・地域情報７１を利用者用端末１に送信する。広告・地域情報７１を受信した利用者用端末１の広告情報表示部１７は、この広告情報７１１を図４に示す第１情報表示部４９ａに表示させる（なお、図５には、図示簡略化のため広告・地域情報７１は図示していない。）。第１情報表示部４９ａには、同じ広告・地域情報７１がずっと表示され続けてもよいし、上記の手順を定期的に繰り返すことで定期的に表示される広告・地域情報７１が変化してもよい。
【００９８】
なお、第１情報表示部４９ａに表示される広告・地域情報７１は、利用者の周辺の特定範囲にある店舗ではなく、例えば、利用者が路線バスに乗車する停留所の周辺の特定範囲にある店舗や、利用者の目的地の停留所の周辺の特定範囲にある店舗等、どのような基準で選定されてもよい。
【００９９】
このようにすることで、移動体情報表示システム１Ａに広告収入をもたらして運営資金を確保したり、利用者の購買意欲等を刺激して地域等の活性化を図ることができるという効果を奏する。
【０１００】
同様の手順は、第２情報表示部４９ｂに表示される広告・地域情報８１についても行われる。
【０１０１】
また、この実施の形態においては、第１情報表示部４９ａには、広告・地域情報７１の表示と併せて、上端にジャンプボタン（図示せず）が、下端に位置表示ボタン（図示せず）がそれぞれ表示されるように構成されていてもよい。第１情報表示部４９ａに広告・地域情報７１が表示された状態で、利用者がジャンプボタン（図示せず）をタップすると、表示された広告・地域情報７１がバナー広告である場合、リンク先のサイトのページ（図示せず）が第１表示部４９ａに表示される。また、第１情報表示部４９ａに広告・地域情報７１が表示された状態で利用者が位置表示ボタン（図示せず）をタップすると、画面上の地図（図４においては第一画面４４の地図）上の、広告・地域情報７１の広告主の店舗の位置を示す位置表示（図示せず）が表示される。これにより、利用者は、第１情報表示部４９ａに表示された広告・地域情報７１から所望の詳細な情報を簡易に取得することができる。なお、同様の機能は、第２情報表示部４９ｂに設けられていてもよい。
【０１０２】
なお、この実施の形態においては、地図上に表示された停留所や移動体１００をタッチすると、停留所や移動体１００の位置を基準に広告・地域情報が表示される構成も備えるが、それは＜運用上の特徴（１）＞で説明する。
【０１０３】
＜運用上の特徴（１）＞
図７は、この実施の形態の移動体情報表示システム１Ａの、上述の構成以外の運用上の特徴（１）を示す概念図である。この運用上の特徴（１）は、上述の構成と共に用いられてもよいし、上述の構成とは別の構成として用いられてもよい。
【０１０４】
この実施の形態において、利用者用端末１（図７に図示せず）のタッチパネル４（図７に図示せず）に運用画面９０が表示された状態で、利用者が選択ボタン９１をタップすると、移動体情報表示システム１Ａは、利用者用端末１の位置特定機能（たとえばＧＰＳ衛星との通信によって利用者用端末１の存在する緯度や経度の情報を取得する機能）によって、利用者用端末１を使用する利用者の現在の所在地を検出する。そして、移動体情報表示システム１Ａは、検出された利用者の現在地の情報を、中央サーバ３に記録されたバスの路線情報や、第１情報サーバ７に記録された広告情報と照合する。
【０１０５】
そして、利用者の現在地に近い地域（例えば、利用者の現在地から所定の範囲内の地域）に路線を有するバスの情報の記録が検出された場合や、利用者の現在地に近い地域で営業を行っている商店の情報等が検出された場合には、タッチパネル４に、検出された地域の地図情報を表示させるとともに、当該地域のバスの情報や、商店や商品や役務、あるいは、地方自治体や地方自治体に関連する各種の情報（地域情報）を表示させる。
【０１０６】
図７には、タッチパネル４上に、検出された地域の地図９２が表示され、地図９２上に、地図９２上には、表示された地域のバスの路線を示す路線情報９２ａや、バスの「停留所」を示す「停留所情報」としてのバス停情報９３がグラフィック表示された状態が示されている。図７には図示しないが、移動体情報表示システム１Ａは、タッチパネル４上の所定の操作により、複数の路線情報９２ａのうち、利用者が表示させたい路線情報９２ａのみを選択させたり（あるいは逆に、現在表示されている路線以外の路線情報９２ａも表示させたり）する機能や、バス停情報９３をタップすると、そのバス停に停車するバスに関する所定の情報（たとえば、そのバス停に停車するバスの路線情報や、路線ごとのバスの時刻表や、バスの到着予定時刻に関する情報など）を表示させることができる。また、図７に示すとおり、地図９２には、利用者の現在地を示す現在地情報９４も表示される。この現在地情報９４は、画面の中央に表示されてもよいし、中央以外の任意の位置に表示されてもよい。
【０１０７】
また、図７に示すとおり、地図９２には、利用者の周辺や特定のバス停情報９３に係るバス停の周辺に存在するバスの現在の所在地を示すバス所在地情報９５がグラフィック表示される。移動体１００としてのバスの所在地を示すバス所在地情報９５は、バスの運行にともなって地図９２上を移動する。また、バス所在地情報９５をタップすると、そのバス所在地情報９５に係るバスの運行予定時刻（遅延情報が併せて表示されてもよい）や路線情報がタッチパネル４上に表示される。
【０１０８】
また、図７には、情報表示欄９６が表示されている。この情報表示欄９６は、図４乃至図６に示す、第１情報表示部４９ａ、及び／又は、第２情報表示部４９ｂに対応するものである。地図９２上に表示された路線情報９２ａやバス停情報９３、あるいは地図９２に係る地域に関連付けられた、商店や商品や役務、あるいは、地方自治体や地方自治体に関連する各種の情報（地域情報）が表示される（すなわち、この情報表示欄９６には、図４乃至図６に示す第１情報表示部４９ａに表示される広告・地域情報７１と、図４乃至図６に示す第２情報表示部４９ｂに表示される広告・地域情報８１とに対応する情報のうち、一方又は双方が表示される。）。そして、利用者が情報表示欄９６に表示された広告・地域情報９６ａをタップすると、タップされた広告・地域情報にリンクされた所定のサイト（たとえば、商店のサイトや、商品の販売や役務の提供を行っている商店のサイト、地方自治体のサイト（例えば、地図９２上に表示された市の市役所のサイト）や、地方自治体に関連する各種の団体や当該地方自治体の域内に存在する各種団体のサイトなど）がタッチパネル４上に表示される。
【０１０９】
なお、利用者が選択ボタン９１をタップしたときに、検出された利用者の現在地の情報を、中央サーバ３に記録されたバスの路線情報や、第１情報サーバ７に記録された広告・地域情報７１に対応する路線情報や広告情報や、第２情報サーバ８に記録された広告・地域情報８１に対応する情報が検出されなかった場合には、タッチパネル４上には、検出されなかったことが表示されると共に、情報表示欄９６には、所定の情報（所定の広告や、所定の地方自治体のサイト）が表示される。
【０１１０】
この実施の形態においては、利用者用端末１の地図９２に表示されたバス所在地情報９５が利用者用端末１の利用者によってタップされると、利用者用端末１の地図表示部１１は、タップされた地図９２の緯度情報と経度情報を取得し、取得した情報を第１情報サーバ７や第２情報サーバ８に送る。第１情報サーバ７や第２情報サーバ８では、取得された緯度情報や経度情報からなる位置情報と記録された位置情報７２，８２を照合し、地図９２でタップされた位置の位置から所定の範囲内に営業所や本店等が所在する商店等の広告・地域情報７１や、地図９２でタップされた位置の位置から所定の範囲内に所在する地方公共団体等の広告・地域情報８１を取得して利用者用端末１に送信する。送信された情報を取得した利用者用端末１は、タッチパネル４に、図８に示す地図画面１１０を表示する。この地図画面１１０は、地図９２でタップされた位置の拡大された地図などの地図画面１１１と、地図９２でタップされた位置から所定の範囲内（たとえば半径５００メートルの範囲内）に存在する商店等の商品等に関する広告・地域情報７１や、地方公共団体等の宣伝のための広告・地域情報８１が広告・地域情報１１２として表示される。
【０１１１】
なお、図７に示す地図９２において、バス所在地情報９５に替えて、停留所情報９７がタップされた場合も、停留所情報９７に対応する緯度情報と経度情報に基づいて、同様に、第１情報サーバ７や第２情報サーバ８から広告・地域情報７１，８１が抽出されて利用者用端末１に送信され、利用者用端末１のタッチパネル４には、図８に示すような地図画面１１０が表示される。この場合、地図画面１１０には、タップされた停留所情報９７を中心に拡大された地図画面１１１と、地図９２でタップされた位置から所定の範囲内（たとえば半径５００メートルの範囲内）に存在する商店等の商品等に関する広告・地域情報７１や、地方公共団体等の宣伝のための広告・地域情報８１が広告・地域情報１１２として表示される。
【０１１２】
このようにすることで、利用者用端末１に表示された移動体１００のバス所在地情報９５や、移動体１００の停留する停留所の停留所情報９７の位置情報に基づいて、広告・地域情報７１，８１を表示させることにより、利用者用端末１が確認又は監視する移動体１００や停留所の近隣の事業体、あるいは、移動体１００や停留所に関連の高い広告・地域情報７１，８１を利用者用端末１に表示することができるので、利用者が興味を持つ可能性の高い広告・地域情報７１，８１を、位置情報に基づいて利用者用端末１に表示させることで、個々の利用者が興味を持つ可能性の高い広告・地域情報７１，８１を簡易に抽出して個々の利用者に提供することができる。
【０１１３】
＜運用上の特徴（２）＞
また、図７に示す運用上の特徴（１）以外に、移動体情報表示システム１Ａは、下記の（特徴１）〜（特徴５）の機能を奏させることもできる。
【０１１４】
（特徴１）
移動体１００が路線バスである場合、利用者用端末１において移動体情報表示システム１Ａを起動させると、タッチパネル４上には、バスの路線情報とバスの停留所の情報と、バスの運行情報が表示されるように構成する。これらのバスの路線情報、バスの停留所の情報、バスの運行情報のうちの一部又は全部は、利用者用端末１に移動体情報表示システム１Ａを起動させると、利用者が何の操作をしなくても、ただちにタッチパネル４上の画面上に表示されるように構成してもよい。
【０１１５】
（特徴２）
移動体１００が路線バスである場合、移動体情報表示システム１Ａは、利用者用端末１のタッチパネル４上に、それぞれのバスの停留所に設置された、運行情報を表示させる構成（たとえば運行情報を表示させるパネル）表示される情報と同様の情報が表示されるように構成する。この運行情報は、停留所に表示される情報と完全同一であってもよいし、近似したものであってもよいが、所定の情報が、利用者用端末１上において、バスの停留所に表示されるものと同様に確認できるように表示することが望ましい。
【０１１６】
（特徴３）
移動体１００が路線バスである場合、移動体情報表示システム１Ａは、利用者用端末１のタッチパネル４上に、バスの運行情報を、一又は複数のバスの停留所へのバスの到着状況に関連させた状態で表示させる。具体的には、たとえば、タッチパネル４上に表示されたバスの停留所の情報に関連し、それぞれの停留所にバスが到着する順番に、バスの到着情報が表示されるようにする。
【０１１７】
（特徴４）
移動体１００が路線バスである場合、移動体情報表示システム１Ａは、利用者用端末１のタッチパネル４上にバスの運行情報が表示された状態で、特定の停留所にバスが接近すると、「停留所にバスが近づいた」ことを示す情報が示されるように構成する。「停留所にバスが近づいた」ことを示す情報は、画面上のグラフィック表示でもよいし、音声情報でもよいし、どのようなものであってもよい。
【０１１８】
（特徴５）
移動体１００が路線バスである場合、移動体情報表示システム１Ａは、利用者用端末１のタッチパネル４上に表示される路線情報等の情報のうちの一部又は全部を、利用者がタッチパネル４上でタッチやフリックなどの動作を行わない状態で、自動的に画面上に表示させるようにする。具体的には、たとえば、利用者用端末１に移動体情報表示システム１Ａを起動させると、所定の情報が自動的に表示されるように構成してもよいし、利用者がタッチパネル４上の地図を移動させて新たに表示された路線や停留所に関連する所定の情報が自動的に表示されるように構成してもよい。
【０１１９】
上記（特徴１）〜（特徴５）は、移動体情報表示システム１Ａにおいて、いずれか一つのみが適用されてもよいし、複数が一緒に用いられてもよいし、上記＜運用上の特徴（１）＞や上記図１〜図６に示す実施の形態と共に用いられてもよい。
【０１２０】
以上、この実施の形態においては、利用者用端末１のタッチパネル４上に表示された地図上に移動体１００としての路線バス情報４６を表示させ、移動体位置情報をタッチパネル４の地図上に表示させると共に、地図上の所定の位置である利用者の位置を基準にして所定の範囲に存在する所定の事業者の広告・地域情報７１、及び／又は、地図上の所定の位置を示す基準にして所定の範囲に存在する所定の広告・地域情報８１を取得して、取得した広告・地域情報７１，８１を、利用者用端末１上に形成される第１情報表示部４９ａと第２情報表示部４９ｂにおいて表示させることにより、利用者用端末１に、移動体１００の現在位置を視覚的に容易に認識できるように表示させると共に、移動体１００の現在位置に関連する、広告・地域情報８１、及び／又は、広告・地域情報８１を表示させることで、移動体１００の現在地情報を取得したい利用者用端末１の利用者に、移動体１００の現在地情報と、移動体１００の現在位置に関連する多面的な情報を提供できるシステムを構築し、各種の移動体１００の現在地情報と、移動体１００の現在地情報に関連する多様な各種情報を、移動体１００の現在地に依存せぬ場所に所在する利用者に供給できる。
【０１２１】
この実施の形態においては、第一画面４４に地図と利用者位置情報４５と広告・地域情報７１，８１が表示されることにより、利用者はシステムを起動すれば、複雑な手順による検索等を行うことなく、迅速かつ容易に利用者の周辺の移動体の現在地情報や広告・地域情報７１，８１を確認できる。
【０１２２】
この実施の形態においては、移動体１００の現在地に関連する、広告需要の高い事業者の広告・地域情報７１，８１を移動体１００の現在地に関連した形で利用者用端末１に表示させることにより、移動体１００の現在地情報に関連する多様な広告・地域情報７１，８１を、移動体１００の現在地に依存せぬ場所に所在する利用者に供給できる。
【０１２３】
この実施の形態においては、利用者の現在位置を基準に、移動体１００の現在地情報や移動体１００に関連する広告・地域情報７１，８１を利用者用端末１に表示させることにより、移動体１００に関連する情報を、利用者の現在地に関連付けて、利用者に把握しやすい態様で表示させることができる。
【０１２４】
この実施の形態においては、移動体１００の過去の移動履歴に基づいて、確度の高い移動体１００の移動位置予測情報を算出して利用者用端末１に表示させて、利用者が移動体１００の将来の移動状況を予測する際に有用な情報を、利用者が利用しやすい態様で利用者用端末１を通じて提供できる。
【０１２５】
この実施の形態においては、路線を運行する場合の路線バス４６と、路線を逸脱して運行する「遊体」としての路線バス４８としての移動体１００の、路線上を運行しているか否かの情報も含めた多様な情報を、利用者が把握しやすい態様で利用者用端末１を通じて提供することができる。
【０１２６】
この実施の形態に記載の発明によれば、路線を持たすに運行される一又は複数の各種交通機関としての移動体１００の移動状況を、利用者が把握しやすい態様で利用者用端末１を通じて提供することができる。
【０１２７】
この実施の形態においては、所定の生物としての移動体１００である徘徊者５３の移動状況を、利用者が把握しやすい態様で利用者用端末１を通じて提供することができる。
【０１２８】
なお上記実施の形態は本発明の例示であり、本発明が上記実施の形態のみに限定されることを意味するものではないことは言うまでもない。
【符号の説明】
【０１２９】
１Ａ・・・移動体情報表示システム
１・・・利用者用端末
２・・・移動体用端末
１１・・・地図情報表示部（俯瞰情報表示手段）
１２・・・利用者情報取得部（利用者情報取得手段）
１３・・・利用者情報表示部（利用者情報表示手段）
１４・・・移動体情報取得部（移動体情報取得手段、運行状況取得手段）
１５・・・移動体情報表示部（移動体情報表示手段、運行状況表示手段）
４４・・・第一画面
４５・・・利用者位置情報
４６・・・路線バス情報（移動体位置情報）
４９ａ・・・広告表示部（各種情報表示手段）
４９ｂ・・・地域情報表示部（各種情報表示手段）
５１・・・路線情報
７００・・・移動体情報データベース（移動履歴情報記録手段、移動位置予測手段）
７１，８１・・・広告・地域情報（各種情報、事業者情報，各種公共団体情報）
【図１】
2019185778.tif 000003
【図２】
2019185778.tif 000004
【図３】
2019185778.tif 000005
【図４】
2019185778.tif 000006
【図５】
2019185778.tif 000007
【図６】
2019185778.tif 000008
【図７】
2019185778.tif 000009
【図８】
2019185778.tif 000010